(57)【要約】【課題】  通常のケースと同様に鞄等に入れて持ち運ぶことができる上に、机で読書や仕事をする際にはメガネ立てとして使用することができ、しかも、開閉操作時におけるスライドファスナの引っ掛かりも防止できるメガネ立て兼用のメガネケース。【解決手段】  内側に眼鏡Ｇを収容可能なスペースを備え、かつ、胴部中央付近を境界として軟質シート部11と硬質シート部12とに分かれる二つ折り型のケース本体１と；このケース本体１の軟質シート部11の端縁部に取着されたスライドファスナ２と；前記ケース本体１の硬質シート部12の端縁部間に張設された襠部材３と；この襠部材３が張設された硬質シート部12の端縁部を開閉するために襠部材３やケース本体１に設けられたスナップボタン式、紐掛け式、若しくは面ファスナー式の止着部材４とから構成した。【選択図】  図１
0003171817.tif 000002
【実用新案登録請求の範囲】
【請求項１】
内側に眼鏡(Ｇ)を収容可能なスペースを備え、かつ、胴部中央付近を境界として軟質シート部(11)と硬質シート部(12)とに分かれた二つ折り型のケース本体(１)と；このケース本体(１)の軟質シート部(11)の端縁部に取着されたスライドファスナ(２)と；前記ケース本体(１)の硬質シート部(12)の端縁部間に張設された襠部材(３)と；この襠部材(３)が張設された硬質シート部(12)の端縁部を開閉するために襠部材(３)やケース本体(１)に配設されたスナップボタン式、紐掛け式、若しくは面ファスナー式の止着部材(４)とを含んで構成され、
前記スライドファスナ(２)と止着部材(４)を外して端縁部を開いたケース本体(１)を、硬質シート部(12)が下側にくるように立てた状態で机上等に載置可能としたことを特徴とするメガネ立て兼用のメガネケース。
【請求項２】
紐掛け式の止着部材(４)において、掛止ボタン(42)がケース本体(１)の硬質シート部(12)に取着されると共に、襠部材(３)の掛止ボタン(42)から遠い側の端部にゴム紐(43)が取着されていることを特徴とする請求項１記載のメガネ立て兼用のメガネケース。
【請求項３】
ケース本体(１)の内側に極細繊維から成る裏地(13)が設けられていることを特徴とする請求項１または２に記載の縦置き可能なメガネ立て兼用のメガネケース。
【請求項４】
ケース本体(１)の硬質シート部(12)が、二枚の生地の間に板紙またはプラスチックシートを挟み込んで構成されていることを特徴とする請求項１〜３の何れか一つに記載のメガネ立て兼用のメガネケース。
【考案の詳細な説明】
【技術分野】
【０００１】
本考案は、メガネケースの改良、詳しくは、通常のケースと同様に鞄等に入れて持ち運ぶことができ、また、机で読書や仕事を行う際には、メガネ立てとして使用することもでき、しかも、開閉操作も非常に円滑に行えるメガネ立て兼用のメガネケースに関するものである。
【背景技術】
【０００２】
周知のとおり、遠視・近視用眼鏡や老眼鏡を鞄等に入れて外出する際には、フレームやレンズに傷が付かないように眼鏡をメガネケースに入れて携帯することが多い。また、一般的なメガネケースの形態としては、下側の容器に上蓋が開閉自在にヒンジ連結されたものがよく知られているが、その殆どはケースを立てて使用する形状になっていない。
【０００３】
一方、眼鏡関連の商品としては、デスクワークや読書時に手に取りやすい位置に眼鏡を立てて置くことのできるメガネ立ても知られており(例えば、特許文献１参照)、このようなメガネ立てを使用すれば、机上で作業する際に必要に応じて老眼鏡や近視用眼鏡の付け外しを簡単に行えるようになる。
【０００４】
しかしながら、上記従来のメガネ立ては、机上に置きっぱなしで使用されることを前提としており、より安定感が高まるようにサイズや重量を大きくしたものが多かったことから、持ち運びに不向きな構造であった。そのため、メガネ立てを鞄等に入れて図書館や出張先等に携帯することができなかった。
【０００５】
また、文房具の分野においては、ペン立てとしても使用できるペンケースが既に公知となっているが(特許文献２,３参照)、文献２に記載されたペンケースは、縦置きした際に充分な底面積を確保することができなかったため、上側の軟質シートを下側の硬質シート側に折り返して使用すると、バランスが悪くなって倒れ易くなる欠点があった。
【０００６】
そこで、文献３のようにケース下部の端縁部間に襠部材を設けて縦置き時の底面積を広げる方法も考えられたが、この方法を採用するとスライドファスナを閉じる際、端縁部が外側に開く方向に反発力が働く硬質シート側でファスナの引っ掛かりが生じ易くなったため、わざわざ硬質シートを手で掴んで端縁部をくっつけた状態でファスナを閉じなければならなかった。
【先行技術文献】
【特許文献】
【０００７】
【特許文献１】実用新案登録第３０７３３８７号公報（第１―１３頁、第１〜８図）
【特許文献２】実用新案登録第３０７２８６８号公報（第１―６頁、第１〜３図）
【特許文献３】特許第４６１７５９７号公報（第１―６頁、第１〜３図）
【考案の開示】
【考案が解決しようとする課題】
【０００８】
本考案は、上記の如き問題に鑑みて為されたものであり、その目的とするところは、通常のケースと同様に鞄等に入れて持ち運ぶことができる上に、机で読書や仕事をする際にはメガネ立てとして使用することができ、しかも、開閉操作時におけるスライドファスナの引っ掛かりも防止できるメガネ立て兼用のメガネケースを提供することにある。
【課題を解決するための手段】
【０００９】
本考案者が上記課題を解決するために採用した手段を添付図面を参照して説明すれば次のとおりである。
【００１０】
即ち、本考案は、内側に眼鏡Ｇを収容可能なスペースを備え、かつ、胴部中央付近を境界として軟質シート部11と硬質シート部12とに分かれる二つ折り型のケース本体１と；このケース本体１の軟質シート部11の端縁部に取着されたスライドファスナ２と；前記ケース本体１の硬質シート部12の端縁部間に張設された襠部材３と；この襠部材３が張設された硬質シート部12の端縁部を開閉するために襠部材３やケース本体１に設けられたスナップボタン式、紐掛け式、若しくは面ファスナー式の止着部材４とを含んでメガネケースを構成し、
前記スライドファスナ２と止着部材４を外して端縁部を開いたケース本体１を、硬質シート部13が下側にくるように立てた状態で机上等に載置可能とした点に特徴がある。
【００１１】
また、上記紐掛け式の止着部材４に関しては、掛止ボタン42をケース本体１の硬質シート部12に取着すると共に、ゴム紐43を襠部材３の前記掛止ボタン42から遠い側の端部に取着して、ゴム紐43の弾性を利用して端縁部をしっかりと閉じれるように構成することができる。
【００１２】
また更に、上記ケース本体１については、その内側に極細繊維から成る裏地13を設けることによりこの裏地13を眼鏡拭きとして使用することもできる。そしてまた、ケース本体１の硬質シート部12に関しては、二枚の生地の間に板紙またはプラスチックシートを挟み込んで構成することができる。
【考案の効果】
【００１３】
本考案では、二つ折り型のメガネケースを、軟質シート部と硬質シート部とから構成すると共に、硬質シート部の端縁部間に襠部を設けて構成したことにより、端縁部を開いた状態で硬質シート部が下側にくるようにメガネケースを縦置きすれば、ケースを襠部材によって底部および前壁部が形成された三角筒または半円筒状の形態に変形できるため、メガネケースを底面積の大きい安定したメガネ立てとして使用することが可能となる。
【００１４】
しかも、本考案では、上記メガネケースの軟質シート部にのみスライドファスナを取着して、硬質シート部の端縁部には別の止着部材を設けたことにより、まず硬質シート部の端縁部を閉じてから、軟質シート部の端縁部をスライドファスナを閉じることが可能となるため、ファスナを引っ掛けることなく円滑に開閉操作を行うことができる。
【００１５】
そしてまた、本考案のメガネケースは、スライドファスナや止着部材でケースの端縁部を閉じれば、通常のメガネケースと同様に鞄等に入れて持ち運べるコンパクトなサイズとなるため、外出先でデスクワークや読書を行う際に手軽に利用できる携帯式のメガネ立てとして使用できる。
【００１６】
したがって、本考案によれば、携帯して持ち運べるコンパクト性を損なわずに、メガネ立てとしての機能を付与することができ、しかも、使用面での不都合も生じない使い勝手に優れたメガネケースを提供できることから、本考案の実用的利用価値は頗る高い。
【図面の簡単な説明】
【００１７】
【図１】本考案の実施例１におけるメガネケースを表わす全体斜視図である。
【図２】本考案の実施例１におけるメガネケースの使用態様を表わす全体斜視図である。
【図３】本考案の実施例１におけるメガネケースを閉じる状態を段階的に表わす状態説明図である。
【図４】本考案の実施例２におけるメガネケースを表わす全体斜視図である。
【図５】本考案の実施例２におけるメガネケースを閉じた状態を表わす全体斜視図である。
【図６】本考案の実施例３におけるメガネケースを表わす全体斜視図である。
【図７】本考案の実施例３におけるメガネケースを閉じた状態を表わす全体斜視図である。
【図８】本考案の実施例４におけるメガネケースを表わす全体斜視図である。
【図９】本考案の実施例４におけるメガネケースを閉じた状態を表わす全体斜視図である。
【考案を実施するための形態】
【００１８】
『実施例１』
本考案の実施例１について、図１〜図３に基いて説明する。同図において、符号１で指示するものはケース本体であり、符号２で指示するものはスライドファスナである。符号３で指示するものは、襠部材であり、符号４で指示するものは、止着部材である。
【００１９】
まず実施例１では、メガネケースのケース本体１に、内側に眼鏡Ｇを収容可能なスペースを備えた二つ折り型のケースを使用すると共に、ケース本体１については、胴部中央付近を境界として一方が軟質シート部11、もう一方が硬質シート部12となるように質感の異なる２種類のシート材から構成している(図１参照)。
【００２０】
ちなみに本実施例では、上記ケース本体１の軟質シート部11に、裏地13を備えた柔軟な合成皮革を使用している。また、硬質シート部12には、軟質シート部11と同じ裏地13を備え、かつ、２枚に重ねた合成皮革の生地間にプラスチックシートを挟み込んだものを使用している。
【００２１】
また更に、本実施例では、上記ケース本体１の内側(軟質シート部11や硬質シート部12の裏側)に設ける裏地13に、極細繊維から成る生地を使用しており、これによってケース本体１の裏地13を、眼鏡Ｇのレンズが汚れた際に使用するメガネ拭きとして使用することができる。
【００２２】
そしてまた、上記ケース本体１の軟質シート部11の端縁部にはスライドファスナ２を取着して、このスライドファスナ２が取着された端縁部を摘み部21を操作することによって開閉できるようにしている。
【００２３】
一方、上記ケース本体１の硬質シート部12の端縁部間には、裏地13と同じ材質の襠部材３を設けている。そしてこれにより、襠部材３を広げた状態でケース本体１を硬質シート部12が下側にくるように縦置きすれば、メガネケースを、眼鏡Ｇの前倒れを防止する前壁部と底面部を備えた有底三角筒状のメガネ立てとして使用することができる。
【００２４】
しかも、上記襠部材３によって縦置きしたときのケース本体１の底面積を広げることができるため、図２に示すように軟質シート部11を硬質シート部12側に折り返して使用する場合でも、ケース本体１の安定感を保つことができる。
【００２５】
なお本実施例では、上記ケース本体１の軟質シート部11の折り返しを容易に行えるように、軟質シート部11と硬質シート部12の境界ラインをスライドファスナ２が取着された前方側から後方側に向かって上向きに傾斜するように形成している。
【００２６】
また本実施例では、ケース本体１の内側に、ボールペンや鉛筆を差し込んで保持する半円筒状のペン差し部14・14…を設けていることから、ケース本体１をメガネ立てとして使用すると同時に、ケース本体１をボールペン等を一時的に立てておくペン立てとしても使用することができる。
【００２７】
そしてまた、上記ケース本体１における硬質シート部12の端縁部近傍の両外側には、端縁部を開閉する止着部材４として、スナップボタン41とスナップボタン41付きベルトＢとをそれぞれ配設している。そしてこれにより、まず図３(a)のように硬質シート部12の端縁部を止着部材４でベルト止めしてから、図３(b)に示すように軟質シート部11の端縁部をスライドファスナ２で閉じることができる。
【００２８】
またこれによって、ケース本体１の端縁部を閉じる際におけるスライドファスナ２の引っ掛かりを防止することが可能となる。また、端縁部を閉じた後のケース本体１は、薄型でコンパクトな形態となるため、鞄等に入れて簡単に持ち運ぶことができる。
【００２９】
『実施例２』
次に、本考案の実施例２について、図４及び５に基いて以下に説明する。この実施例２では、実施例１のスナップボタンに替えて紐掛け式の止着部材４を採用している。具体的には、ケース本体１の硬質シート部12に掛止ボタン42を取着すると共に、襠部材３の前記掛止ボタン42から遠い側の端部にゴム紐43を取着している。
【００３０】
ちなみに、上記止着部材４のゴム紐43については、紐自体に弾性がある方が端縁部をしっかりと閉じることができるが、硬質シート部12の端縁部の外側に開く反発力を利用して紐を張った状態とするもできるため、弾性を有しない紐でも代用できる。
【００３１】
『実施例３』
次に、本考案の実施例３について、図６及び７に基いて以下に説明する。この実施例３では、実施例１のスナップボタンに替えて面ファスナー式の止着部材４を採用しており、襠部材３の左右両側に面ファスナ44・44を取着して構成している。
【００３２】
『実施例４』
次に、本考案の実施例４について、図８及び９に基いて以下に説明する。この実施例４では、止着部材４に関して、実施例１のようなベルトを用いずに襠部材３の左右両側にスナップボタン41・41を直接取着して硬質シート部12の端縁部を開閉可能としている。
【００３３】
本考案は、概ね上記のように構成されるが、本考案は図示の実施形態に限定されるものでは決してなく、「実用新案登録請求の範囲」の記載内において種々の変更が可能であって、例えば、ケース本体１の軟質シート部11や襠部材３の材質については、柔軟な生地であれば、織編地や不織布等の布帛や本革を採用することもできる。
【００３４】
また、ケース本体１の硬質シート部12についても、生地間に挟み込む芯材にプラスチックシートでなく板紙を使用することができ、また裏地13に関しても、極細繊維から成る生地に限らず一般的にメガネケースの内側に使用されているクッション性のある生地であれば問題なく使用できる。
【００３５】
そしてまた、止着部材４についても、硬質シート部12の端縁部をしっかり閉じるためにスナップボタン41・41や掛止ボタン42、ゴム紐43、面着ファスナ44・44の数を増やすこともでき(例えば、上下に配置する等)、何れのものも本考案の技術的範囲に属する。
【産業上の利用可能性】
【００３６】
近年、パソコン等を使ったデスクワーク時において、老眼用眼鏡と近視用眼鏡の付け外しがより簡単に行えるようになるメガネ立ての需要が高まっている。また、ノートパソコンの普及によって、外出先で仕事を行うケースも増えたことから、メガネ立ての携帯性が課題となっている。
【００３７】
そのような中で、本考案のメガネ立て兼用のメガネケースは、安定感のあるメガネ立てとして使用できる上に、鞄等に入れて容易に持ち運べる携帯性にも優れた有用な技術であることから、その産業上の利用価値は非常に高い。
【符号の説明】
【００３８】
１  ケース本体
11  軟質シート部
12  硬質シート部
13  裏地
14  ペン差し部
２  スライドファスナ
３  襠部材
４  止着部材
41  スナップボタン
42  掛止ボタン
43  ゴム紐
44  面ファスナ
Ｇ  眼鏡
Ｂ  ベルト
【図１】
0003171817.tif 000003
【図２】
0003171817.tif 000004
【図３】
0003171817.tif 000005
【図４】
0003171817.tif 000006
【図５】
0003171817.tif 000007
【図６】
0003171817.tif 000008
【図７】
0003171817.tif 000009
【図８】
0003171817.tif 000010
【図９】
0003171817.tif 000011